(57)【要約】      （修正有）【課題】葬儀事業者の加入会員が、自らの意思に基づいて表現した自分自身の履歴データを、葬儀参列者が簡単に閲覧できるようにする。【解決手段】会員データ管理装置は、インターネットＮを介して会員の端末装置１から送られる会員個人のデータを蓄積する非公開のデータ蓄積部１１と、会員の死亡確認後すみやかに、前記非公開のデータ蓄積部のデータを、非公開データと公開データとに種別分けするための命令を受け付ける公開データ編集部１４と、前記公開データを保存する公開データ保存部１６とを備える。該公開データ保存部に格納したデータは、会葬者に提供する二次元閲覧コード１８を介してアクセス可能とする。死後に知人等に対して公開されることを前提としてデータ蓄積を行うので、会員は、内心に踏み込んだデータ作成を行うことが出来る。【選択図】図１
2019101662.tif 000002
【特許請求の範囲】
【請求項１】
インターネットを介して会員の端末装置から送られる会員個人のデータを蓄積する非公開のデータ蓄積部と、
前記会員の死亡確認後すみやかに、
前記非公開のデータ蓄積部のデータを、非公開データと公開データとに種別分けする入力命令を受け付ける公開データ編集部と、
該公開データ編集部を介して前記公開データを第三者に対して公開可能な状態で保存する公開データ保存部とを備える一方、
該公開データ保存部に格納したデータは、
前記会員の葬儀参列者に提供する二次元閲覧コードを介してアクセス可能とすることを特徴とする葬儀用の会員データ管理装置。
【請求項２】
非公開のデータ蓄積部は、
会員個人の履歴を当該会員自身が端末装置を介してデータ蓄積する会員専用のメモリ領域であり、
少なくとも、
テキストデータ、静止画データ、動画データ、音声データをデータ種別毎に格納する領域を備えることを特徴とする請求項１記載の葬儀用の会員データ管理装置。
【請求項３】
公開データ編集部は、
データ蓄積部に蓄積されたデータに、
当該データ蓄積部には蓄積されていない音声／音楽／動画データを重畳付加する機能を備えることを特徴とする請求項１または請求項２記載の葬儀用の会員データ管理装置。
【請求項４】
データ蓄積部に対する会員のログインの日付を検出するログイン確認部と、
該ログイン確認部における検出の日付間隔を算出する日付確認部と、
当該日付確認部に基づく日付の検出間隔が一定期間を超えたときに、
当該会員の生存確認を促すアラーム表示を行う生存確認部とを備えることを特徴とする請求項１〜請求項３のうちいずれか一項に記載した葬儀用の会員データ管理装置。
【請求項５】
生存確認部は、
日付確認部を介して一定期間ログインがないことが検出された会員に対し、文字メッセージを送出するメッセージ送出部と、
当該文字メッセージの閲覧を確認する閲覧確認部とを備え、
閲覧確認部を介して前記文字メッセージの閲覧が一定期間確認出来ないときに、会員の生存確認を促すアラーム表示を行うことを特徴とする請求項４記載の葬儀用の会員データ管理装置。
【発明の詳細な説明】
【技術分野】
【０００１】
本発明は、葬儀事業者の加入会員の死後、葬儀（葬式）参列者に対して当該会員を偲ぶための映像データ等を提供するデータ管理システムに関する。
【背景技術】
【０００２】
死者を弔う葬儀の式次第は、宗派等の違いによって各種あるが、概ね、通夜、葬儀、告別式の順に執り行う。
【０００３】
通夜は、故人と生前親しかった友人や知人が弔問に訪れ、故人の家族や親戚と共に別れを惜しむ儀式、葬儀は、故人の冥福を祈り別れを告げる儀式、告別式は故人に最後の別れを告げる儀式とされるが、時代とともに、厳格な区別が緩やかになる傾向にある。
【０００４】
従来、葬儀事業者は、加入会員または会員家族の死亡報告を受けて、通夜、葬儀、告別式、およびそれ以後の式次第を進める。
【０００５】
従来、故人のデータを記録する技術としては、特許文献１がある。これは、故人のデータをＣＤ等に記録保存して、寺院のＰＣ装置を経由させる等、インターネットを介して知人等にデータを提供するものである。
【先行技術文献】
【特許文献】
【０００６】
【特許文献１】特開２００８−２０４４２０
【発明の開示】
【発明が解決しようとする課題】
【０００７】
問題は、特許文献１の発明は、故人に関するデータが、死亡後に作成される点にある。履歴、写真、手紙等、客観性のあるデータに基づいて故人を偲ぶことができる点で優れるが、故人の内面の思いを知ることが難しい。
【０００８】
近年、葬儀の簡略化がすすみ、手軽で簡易な葬儀が増加する傾向にある実情に鑑みれば、故人の知人等が、通夜、葬儀、告別式のいずれかの場において、故人が自らふり返る人生の内心の思い等を、出来るだけ簡単容易／短時間で窺い知ることが出来るようにすることが望ましい。
【０００９】
そこで、本発明の目的は、葬儀事業者の加入会員が、自らの意思に基づいて表現した自分自身の履歴データを、葬儀参列者が簡単に閲覧できるようにすることにある。
【課題を解決するための手段】
【００１０】
前記目的を達成するため、本発明に係る葬儀用の会員データ管理装置は、インターネットを介して会員の端末装置から送られる会員個人のデータを蓄積する非公開のデータ蓄積部と、前記会員の死亡確認後すみやかに、前記非公開のデータ蓄積部のデータを、非公開データと公開データとに種別分けするための公開データ編集部と、該公開データ編集部を介して前記公開データを第三者に対して公開可能な状態で保存する公開データ保存部とを備える一方、該公開データ保存部に格納したデータは、前記会員の葬儀参列者に提供する二次元閲覧コードを介してアクセス可能とするものである（請求項１）。
【００１１】
かかる構成によれば、生前から、会員が自分自身の端末装置からデータ蓄積部に対して、自分自身の各種データを蓄積できる。本人の死後、知人等に公開されることを前提としてデータ蓄積を行うので、生前には表現できなかった喜怒哀楽など、自分の内心にも踏み込んでデータ作成を行うことが出来る。データ蓄積部は非公開のメモリ領域であり、ログインした会員以外は閲覧／データ編集はできない。
【００１２】
一方、会員の死後、葬儀参列者に対してデータ蓄積部を公開するが、そのすべてを公開出来ないことが少なくない。そこで、キーボード等の外部入力手段を介した入力命令を受け付ける公開データ編集部を介して公開可能なデータを公開データ保存部にデータ蓄積する。
【００１３】
公開データ編集部を介した元データの二次利用に関しては、遺族の意思を優先することが望ましい。会員本人が蓄積したデータとはいえ、公開すると、親族や知人等に迷惑が及ぶ場合もあり、思い違い等、記憶の誤りも含まれる可能性があるからである。
【００１４】
公開データ保存部に格納したデータは、葬儀参列者に提供する二次元閲覧コード、例えば式次第に表示したＱＲコード（登録商標）を介してアクセス可能とする。葬儀参列者は、携帯端末装置等を介してＱＲコード（登録商標）を読み取り、公開データ保存部に格納されている故人の公開データを閲覧する。
【００１５】
葬儀参列者は、煩雑な手間を要することなく、葬儀の合間（または爾後）に故人の公開データを閲覧でき、本人の意思によって作られた各種データを介して故人を偲ぶことが出来る。
【００１６】
非公開のデータ蓄積部は、会員個人の履歴を当該会員自身が端末装置を介してデータ蓄積する会員専用のメモリ領域であり、少なくとも、テキストデータ、静止画データ、動画データ、音声データをデータ種別毎に格納する領域を備える（請求項２）。
【００１７】
会員本人が、自分の経歴や内心をわかりやすく表現することが出来るよう、データ蓄積部には、テキストデータ（文書データ）、静止画データ（写真等）、動画データ、音声データをデータ種別毎に格納する領域を設ける場合がある。
【００１８】
公開を前提とするので、データ蓄積部に保存するデータ保存形式は、少なくとも携帯端末装置を介して閲覧可能なものとすることが望ましい。
【００１９】
公開データ編集部は、データ蓄積部に蓄積されたデータに、当該データ蓄積部には蓄積されていない音声／音楽／動画データを重畳付加する機能を備える場合がある（請求項３）。
【００２０】
データ蓄積部に蓄積された元データに、音声／音楽／動画データを重畳付加することにより、故人の短編ムービーを作成可能とするためである。
【００２１】
短編ムービーは、短時間で多くの情報を表現できるので、データ蓄積部の生データと相俟って、故人を偲ぶための貴重な資料となる。
【００２２】
また、短編ムービーは、葬儀の適宜タイミング（例えば通夜）に、大型モニタやプロジェクタ装置を介して参列者全員に公開できる。
【００２３】
データ蓄積部に対する会員のログインの日付を検出するログイン確認部と、該ログイン確認部における検出の日付間隔を算出する日付確認部と、当該日付確認部に基づく日付の検出間隔が一定期間を超えたときに、当該会員の生存確認を促すアラーム表示を行う生存確認部とを備える場合がある（請求項４）。
【００２４】
会員のログインの日付間隔に基づいて、同居者のいない会員の生存確認を行い、速やかな安否確認を促すことによって、葬祭事業者と会員／親族との相互連絡に基づく信頼関係を保つことが出来る。
【００２５】
生存確認部は、日付確認部を介して一定期間ログインがないことが検出された会員に対し、文字メッセージを送出するメッセージ送出部と、当該文字メッセージの閲覧を確認する閲覧確認部とを備え、閲覧確認部を介して前記文字メッセージの閲覧が一定期間確認出来ないときに、会員の生存確認を促すアラーム表示を行う場合がある（請求項５）。
【００２６】
会員の生存確認は、請求項４のようにログイン間隔によって判別ができる。しかしながら、自分自身の人生経歴をデータ蓄積部に蓄積した後は、データ蓄積部にデータを蓄積する必要性が薄れるので、長期にわたってログイン操作を行わないケースも生じうる。
【００２７】
そこで、一定期間ログインがない会員に対して文字メッセージを送り、文字メッセージの閲覧（開封）の有無により、会員の生存確認を行うことにより、会員との連絡を密にしつつ、会員に負担をかけずに生存確認を行うことが出来る。
【発明の効果】
【００２８】
本発明によれば、葬儀事業者の会員が自らの意思に基づいて表現／作成した自分自身のデータを、会員の死後、葬儀参列者が、携帯端末等を介して容易に閲覧できる。
【図面の簡単な説明】
【００２９】
【図１】第一の実施形態に係る葬儀用の会員データ管理装置を示すブロック図である。
【図２】第二の実施形態に係る葬儀用の会員データ管理装置を示すブロック図である。
【発明を実施するための形態】
【００３０】
図１は、本発明に係る葬儀用の会員データ管理装置の概略を例示するもの（第一の実施形態）である。
【００３１】
この会員データ管理装置１０は、インターネットＮを介して会員の端末装置１から送られる会員個人のデータを蓄積する非公開のデータ蓄積部１１と、会員の死亡確認後すみやかに、前記非公開のデータ蓄積部１１のデータを、非公開データと公開データとに種別分けする入力命令を受け付ける公開データ編集部１４と、該公開データ編集部１４を介して前記公開データを第三者に対して公開可能な状態で保存する公開データ保存部１６とを備える一方、該公開データ保存部１６に格納したデータは、会員の葬儀参列者に提供する二次元閲覧コード１８を介してアクセス可能とするものである。
【００３２】
符号２は、二次元閲覧コード１８を記載した式次第、４−１、４−２、4−Ｎは、会葬者（葬儀参列者）が所有する携帯端末装置、６は、公開データ編集部１４を介して作成した編集データである。
【００３３】
符合３０は、会員の生存確認を行うための生存確認部である。
【００３４】
以下、各部の構成を具体的に説明する。
会員データ管理装置１０は、インターネットＮを介して会員の端末装置１と回線接続が可能な装置、例えば、インターネットＮ上に配した物理サーバ装置、或いはクラウドサーバ装置である。
【００３５】
会員の端末装置１は、会員データ管理装置１０に対して各種データを蓄積できる通信機能をもった機材、例えば、スマートフォン、タブレット装置、携帯電話装置、ＰＣ端末等である。
【００３６】
データ蓄積部１１は、会員の端末装置１から送られる会員個人のデータを蓄積する非公開のメモリ領域である。非公開であるから、ログインした会員／装置管理者以外は、会員個人のデータにアクセスできない。前記会員データ管理装置１０は、このようなデータ蓄積部１１を複数備える。
【００３７】
データ蓄積部１１には、例えば、テキストデータ、静止画データ（写真等）、動画データ、音声データを収納可能とすることが望ましい。また、保存形式が異なるテキストデータ、静止画データ（写真等）、動画データ、音声データは、データ種別毎に分類して保存することが望ましい。保存するテキストデータが、リンク機能を備える場合（例えばＨＴＭＬデータの場合）は、テキストデータを介して静止画データ（写真等）、動画データ、音声データを表示できる。
【００３８】
会員の死亡確認は、例えば、生存確認部３０を介して行う。この生存確認部３０は、例えば、会員の端末装置１のログイン状況を検出し、ログインがなされない日数間隔に基づいて、会員データ管理装置１０の管理者に対してアラーム表示を行う。会員の生存確認は、家族構成や会員の意思等に応じて行う必要がある。
【００３９】
公開データ編集部１４は、データ蓄積部１１のデータを、非公開データと公開データとに種別分けする手段である。
【００４０】
データ蓄積部１１のデータは、会葬者に公開することが望ましくない内容も含まれる可能性がある。このため、遺族（物故者の両親、配偶者、子、兄弟姉妹等）のうち、故人と密接な生活関係にあった遺族、例えば配偶者や子の承諾に基づいて、データ蓄積部１１のデータを種別分けし、当該種別分けの命令（例えばキーボード等の外部入力手段を介して行う）を受け付ける公開データ編集部１４を介してデータ編集を行う。
【００４１】
公開データ保存部１６は、公開データ編集部１４を介して編集した公開データを第三者に対して公開可能な状態で保存するメモリ領域である。ここでいう第三者とは、好ましくは会葬者（葬儀参列者／近親者）である。
【００４２】
公開データ保存部１６に保存された公開データは、会葬者（会員の葬儀参列者）に提供する二次元閲覧コード１８を介してのみアクセス可能とすることが望ましい。
【００４３】
インターネットＮの検索エンジンを介して検索／閲覧可能としても良いが、公開データ編集部１４を介して編集した公開データの中には、いわゆる一般公開が好ましくないデータが含まれている場合が少なくない。
【００４４】
このため、故人の意思や遺族の意思など、必要に応じ、二次元閲覧コード（アクセス閲覧用の二次元コード）１８を介した閲覧要求（アクセス要求）以外は、一般第三者からの閲覧を禁止する構成とする場合がある。具体的には、例えば、会葬者（会員の葬儀参列者）に提供する二次元閲覧コード１８にのみパスワード等のアクセス情報が含まれ、検索エンジンの表示結果からは元データにアクセス不可とするデータ構成である。
【００４５】
公開データ編集部１４を介して作成する編集データ６は、葬儀の際に会葬者に対して公開する映像音声データである。公開するタイミングは、例えば、通夜、告別式等、葬儀の進行等に応じて決めることが望ましい。
【００４６】
会葬者に故人の生い立ちや人生等を、いわゆる短編動画として公開するものであるから、映像／音声の素材としては、データ蓄積部１１に格納された写真（風景写真、人物写真、手書き文字、絵画等を含む）、動画、テキストデータ、ボイスメッセージ、演奏音楽等を用いる。
【００４７】
また、静止画（写真等）を連続させた所謂スライドショーの映像構成を作る場合には、データ蓄積部１１に格納されている故人の蓄積データ以外の静止画／動画／音楽データ等を挿入／重畳させて、短時間で印象に残る効果的な映像構成とすることが好ましい場合がある。
【００４８】
このため、 公開データ編集部１４は、データ蓄積部１１に蓄積されたデータに、当該データ蓄積部１１には蓄積されていないデータ、例えば音声／音楽／動画データを重畳付加する機能を備えることが望ましい。
【００４９】
音声データは、例えば、ナレーション音声、データ蓄積部１１に格納されていない家族／親族／友人等の回想音声を用いることが出来る。音楽データは、例えば、データ蓄積部１１に格納されていないが故人が好きだった音楽（アレンジ演奏を含む）である。アレンジ演奏は、著作権がクリアできない場合等の代替措置として用いることがある。データ蓄積部１１に蓄積されていない動画データとしては、例えば、故人の親族／友人等が撮影した映像、故人の出身高校／大学／企業／団体等のビデオ映像、風景映像（自治体の著作権フリー映像等）である。
【００５０】
公開データ保存部１６に格納したデータを閲覧する二次元閲覧コード１８は、例えば、会葬者に配布される式次第２に記載する。
【００５１】
葬儀参列者（会葬者）は、二次元閲覧コード１８を介して、各自の携帯端末装置４−１、４−２、4−Ｎにおいて故人を偲ぶ公開データを随時閲覧できる。短編動画である編集データ６と異なり、公開データ保存部１６のデータには、より多くのテキストデータ、写真データ等が含まれるので、通夜や葬儀後、いつでも公開データをみながら故人を偲ぶことが出来る。
【００５２】
公開データ保存部１６に格納した公開データを画通覧するに際して、二次元閲覧コード１８を用いるのは、葬儀参列者（会葬者）が携帯している各種携帯端末装置４−１、４−２、4−Ｎが、ＱＲコード（登録商標）等の二次元コード（１８）に対応する機能を備えるため、本発明に係る葬儀用の会員データ管理装置をより低コストで構築できるからである。
【００５３】
かかる構成によれば、葬儀事業者の会員が自らの意思に基づいて蓄積した自分自身のデータを、当該会員の死亡後、会葬者が携帯端末装置を介して閲覧することが可能である。会員がデータ蓄積部１１に蓄積するデータは非公開であるから、会員は、生前から十分な時間をかけて自身の生い立ち、業績、趣味活動等を表現することが出来る。
【００５４】
一方、データ蓄積部１１に蓄積されたデータの中には、会葬者に公開することが好ましくない内容が含まれている場合がある。このため、編集担当（例えば、葬儀事業者または会員データ管理装置１０の運用担当者）は、故人の関係者（例えば遺族等）と内容確認を行った上で、公開データ編集部１４を介して公開データ、すなわち公開データ保存部１６に保存するデータ及び編集データ６を作成することが望ましい。
【００５５】
図２は、第二の実施形態に係る会員データ管理装置２０を例示するものである。この会員データ管理装置２０は、図１に示した会員データ管理装置１０と同様に、インターネットＮを介して会員の端末装置１から送られる会員個人のデータを蓄積する非公開のデータ蓄積部２１と、会員の死亡確認後すみやかに、前記非公開のデータ蓄積部２１のデータを、非公開データと公開データとに種別分けするための入力命令を受け付ける公開データ編集部２４と、該公開データ編集部２４を介して前記公開データを第三者に対して公開可能な状態で保存する公開データ保存部２６とを備える。なお、公開データ保存部２６に格納したデータは、会員の葬儀参列者に提供する二次元閲覧コード（図示せず）を介してアクセス可能とする点は前記実施形態に係る会員データ管理装置１０と同じである。
【００５６】
この実施形態に係るデータ蓄積部２１は、会員が自身を語るテキストデータや写真／動画等の蓄積を容易にするために、データ格納場所となるメモリ領域（フォルダ）を、予め容易しておくものである。
【００５７】
データ蓄積部２１は、データ格納場所となるメモリ領域（フォルダ）を、会員が自ら新しく作成し、フォルダ名称等やアイコンも自由に設定できる。しかしながら、このような操作に不慣れな会員は、どのようにして文字データや写真データを保存すれば良いかが判らない。
【００５８】
このため、予め、データ蓄積部２１にフォルダを用意しておき、フォルダ名称も設定しておけば、ＰＣ操作に不慣れな会員であっても、比較的容易に自身のテキストデータや写真データを適切なメモリ領域に蓄積することが出来る。
【００５９】
例えば、テキストデータを保存するフォルダとしては、略歴フォルダ２１−１、趣味フォルダ２１−２、日常記録フォルダ２１−３、生い立ちフォルダ２１−４、写真データを保存するメモリ領域として、写真一般を保存する写真フォルダ２１−５、趣味に関する写真を保存する趣味写真フォルダ２１−６を設ける等である。
【００６０】
また記載事項を項目分けすることが望ましいフォルダ、例えば、生い立ちフォルダ２１−４のメモリ領域には、幼少期、小学時代、中学時代、その後等、適宜の下位フォルダを設けておけば、データ蓄積の利便性が高まる。会員の希望／要請に応じて、データ蓄積用のフォルダを個別に作成して当該会員に提供しても良い。会員の希望／要請は、電話や電子メール等の通信手段を介して受け付けることが出来る。
【００６１】
会員の生死の確認は、生存確認部３０を介して行う。この実施形態に係る生存確認部３０は、例えば、ログイン確認部３１、日付確認部３２、メッセージ送出部３３、閲覧確認部３４とから構成する。
【００６２】
ログイン確認部３１は、会員端末装置１が編集許可部９を介してデータ蓄積部２１に対してログイン（アクセス）したときに、当該ログインの日時を検出（記録）する手段である。
【００６３】
日付確認部３２は、ログイン確認部３１におけるログイン検出の日付間隔を算出する手段であり、日付に基づく日数計算機能を備えていればよい。
【００６４】
メッセージ送出部３３は、日付確認部３２を介して一定期間ログインがないことが検出された会員に対し、文字メッセージを送出する手段である。文字メッセージは、例えば、短文のショートメール（ショートメッセージ）或いは電子メールを用いることが出来る。ショートメッセージは、通信障害等の影響を受けにくいので、会員に対する各種情報の提供や、定期的な挨拶文として、会員の生存確認に役立つ。
【００６５】
閲覧確認部３４は、メッセージ送出部３３を介して会員に送出したテキストメッセージを、会員が閲覧（開封）したか否かを検出する手段である。閲覧／開封の操作信号を検出したとき、日付確認部３２の日数累積計算を初期化して、ログイン確認部３１を介した日付間隔に基づく生存確認をリセット始動させる。
【００６６】
公開データ編集部２４は、キーボード装置等の外部入力手段を介して行われるデータの編集操作を受け付ける手段である。しかしながら、外部入力手段を介して行う公開データの編集操作は、遺族等の了解／承諾を受けた上で行う必要がある。
【００６７】
このため、データ蓄積部２１のデータ量（とくにテキストデータ）が多い場合は、通夜までの短時間で編集を行うことが難しい場合もある。
【００６８】
そこで、公開データ編集部２４には、例えば、公開データ抽出部２４−１、目次作成部２４−２、ＮＧワード編集部２４−３を設けておくことが望ましい。編集作業の効率を高めるためである。
【００６９】
公開データ抽出部２４−１は、例えば、会員自身の意思に基づき会葬者に公開しても良いと指定された文書、写真、動画の各種データを、会員の死後に選択抽出して公開データ保存部２６に移動させる手段である。例えば、確認ボックスに対して確認チェックを入れ、チェックの有無に基づいて移動処理を実行するか否かを判別する手段構成とする。
【００７０】
公開しても良いか否かは、会員の意思に基づくので、会員が家族の了解を得ている場合は、会員の死後における確認作業を簡略化できる。
【００７１】
目次作成部２４−２は、公開データ抽出部２４−１において最終的に選択された公開データのフォルダ名称等に基づき、会葬者に公開するデータの目次を適宜のテキストフォームによって自動作成する手段である。公開するデータのフォルダが決定されていれば、フォルダの名称（テキストデータ）に基づいて適宜形式の目次を作成できる。
【００７２】
ＮＧワード編集部２４−３は、テキストデータに含まれる公開すべきではない表現（言葉）を、自動編集する手段である。
【００７３】
会員がデータ蓄積部２１に書き込んだテキストデータの中には、会葬者に公開することが好ましくない記述が含まれる場合がある。
【００７４】
このため、公開データの編集は、遺族との打ち合わせに基づいて行うが、一般的なケースとして、会葬者に公開すべきではない文章（テキストデータ）が存在する。例えば、財産（預貯金、不動産等）、暴力的表現、中傷表現、財産分与に影響のある表現等である。これらは、予め想定できる範囲内でテキストを削除または代替表現に変更できる。
【００７５】
ＮＧワード編集部２４−３は、ＮＧワードを予め設定し、当該のＮＧワードを削除、または代替ワードに置き換えることにより、データ蓄積部２１の元データを会葬者に公開可能なテキストデータに変換する。
【００７６】
かかる構成によれば、データ蓄積部２１に各種フォルダを用意してあるので、例えば、フォルダの項目設定に基づいて生い立ちを記載しやすく、また、フォルダ操作に不慣れな会員であっても、自由な項目形式で書き込みを行い、自分自身のデータを蓄積できる。
【００７７】
また、会員の生存確認は難しい場合が少なくないが、生存確認部３０に設けたログイン確認部３１、日付確認部３２、メッセージ送出部３３、閲覧確認部３４を介して、可能な限り、正確な生存確認を継続させることが出来る。
【００７８】
日常生活に過度に干渉をされることを嫌う会員も少なくないが、ログイン確認部３１、日付確認部３２、メッセージ送出部３３、閲覧確認部３４を介した生存確認は、干渉が緩やかで、確認精度に優れ、実用性が高い。
【００７９】
会員の死亡確認から葬儀までの時間は、短い場合が多い。短時間で、会員がデータ蓄積部２１に蓄えた各種データを公開可能な状態で編集することは困難を伴うが、本実施形態によれば、公開データ編集部２４を、公開データ抽出部２４−１、目次作成部２４−２、ＮＧワード編集部２４−３を備えるよう構成するので、会員が生前から、会員の意思に基づいて公開データを選択抽出可能とすることができる。また、公開が望ましくないテキストデータを削除／代替表現することができるため、短時間で、会葬者に公開可能な故人のデータを編集作成することが可能となる。
【符号の説明】
【００８０】
１  会員の端末装置
２  式次第
４−１、４−２、4−Ｎ  （会葬者の）携帯端末装置
６  編集データ
９  編集許可部
１０、２０  会員データ管理装置
１１、２１  データ蓄積部
１４、２４  公開データ編集部
１６、２６  公開データ保存部
１８  二次元閲覧コード
２１−１  略歴フォルダ
２１−２  趣味フォルダ
２１−３  日常記録フォルダ
２１−４  生い立ちフォルダ
２１−５  写真フォルダ
２１−６  趣味写真フォルダ
２４−１  公開データ抽出部
２４−２  目次作成部
２４−３  ＮＧワード編集部
３０  生存確認部
３１  ログイン確認部
３２  日付確認部
３３  メッセージ送出部
３４  閲覧確認部
Ｎ  インターネット
【図１】
2019101662.tif 000003
【図２】
2019101662.tif 000004